(57)【要約】      （修正有）【課題】使用者がマウスを使用する場合、使用者の手首を支持して保護を与え、手首の骨膜の損傷を防ぐことのできる手首保護装置を提供する。【解決手段】腕輪部１と、該腕輪部上に設けるベース部２と、該ベースに転動自在に設けられる少なくも一以上の転動体３とによって手首保護装置を構成する。【選択図】図２
0003145817.tif 000002
【実用新案登録請求の範囲】
【請求項１】
腕輪部と、該腕輪部上に設けるベース部と、該ベースに転動自在に設けられる少なくも一以上の転動体とを含み構成されることを特徴とする手首保護装置。
【請求項２】
前記転動体が該ベースに形成した凹溝に設けられることを特徴とする請求項１に記載の手首保護装置。
【請求項３】
前記腕輪部にアクセサリーを設けることを特徴とする請求項１に記載の手首保護装置。
【請求項４】
前記腕輪部に時計を設けることを特徴とする請求項１に記載の手首保護装置。
【請求項５】
前記転動体が磁石であることを特徴とする請求項１に記載の手首保護装置。
【請求項６】
前記転動体が遠赤外線材によってなることを特徴とする請求項１に記載の手首保護装置。
【請求項７】
前記転動体がゲルマニウムによってなることを特徴とする請求項１に記載の手首保護装置。
【考案の詳細な説明】
【技術分野】
【０００１】
この考案は、コンピュータの外部入力装置であるマウスを操作する場合に、使用者の手首を保護する手首保護装置に関する。
【背景技術】
【０００２】
コンピュータのパーツ、部品等の生産技術がたゆまず進歩した結果、コンピュータの価格は消費者にとってますます買いやすいものとなり、オフィース、家庭、学校などにおいて普及している。またインターネットの発達にともない、最新の情報の多くは、従来の書面による方式からインターネットを利用する方式で送信されるようになった。このため、学生、社会人を問わず、新しい情報を得るためにコンピュータを利用してインターネットにアクセスするようになった。
【０００３】
インターネットにアクセスして情報を得る場合、マウスはコンピュータを操作するインタフェースとして最も常用されている。このため、多くの学生、社会人に長時間マウスを使用する機会が増えてきている。
【０００４】
マウスを使用する場合、手首の部分が机の天板などに接触して摩擦することから、使用者に不快感を与える。また、手首の部位を浮かせた状態になる。よって、長期にわたってマウスを使用すると、手首の骨膜を損傷する恐れがある。
【０００５】
そこで、図１に開示するように手首を保護する手首保護バンド１aが開発された。手首保護バンド１ａを着けてマウスを使用すると、手首とテーブルの天板との摩擦を減少させる効果が得られる。但し、手首保護バンド１aは手首の部分が浮いた状態となる点について、何ら改善していない。
【考案の開示】
【考案が解決しようとする課題】
【０００６】
この考案は、使用者がマウスを使用する場合、使用者の手首を支持して保護を与え、手首の骨膜の損傷を防ぐことのできる手首保護装置を提供することを課題とする。
【課題を解決するための手段】
【０００７】
そこで、従来の技術に見られる欠点に鑑み鋭意研究を重ねた結果、腕輪部と、該腕輪部上に設けるベース部と、該ベースに転動自在に設けられる少なくも一以上の転動体とによって手首保護装置を構成することによって課題を解決できる点に着眼し、係る知見に基づいて本考案を完成させた。
【０００８】
以下、この考案について具体的に説明する。
請求項１に記載する手首保護装置は、腕輪部と、該腕輪部上に設けるベース部と、該ベースに転動自在に設けられる少なくも一以上の転動体とを含み構成される。
【０００９】
請求項２に記載する手首保護装置は、請求項１における転動体が該ベースに形成した凹溝に設けられる。
【００１０】
請求項３に記載する手首保護装置は、請求項１における腕輪部にアクセサリーを設ける。
【００１１】
請求項４に記載する手首保護装置は、請求項１における腕輪部に時計を設ける。
【００１２】
請求項５に記載する手首保護装置は、請求項１における転動体が磁石である。
【００１３】
請求項６に記載する手首保護装置は、請求項１における転動体が遠赤外線材によってなる。
【００１４】
請求項７に記載する手首保護装置は、請求項１における転動体がゲルマニウムによってなる。
【考案の効果】
【００１５】
この考案による手首保護装置は、マウスを使用する場合に手首を保護し、骨膜損傷を防ぐのみならず、快適なマウス操作を実現することができうるという利点を有する。
【考案を実施するための最良の形態】
【００１６】
図２から図５に開示するように、腕輪部１と、ベース部２と、一対の転動体３とを含んでなる。腕輪部１は環状を呈し、使用者の手首に着ける。ベース部２は腕輪部１上に設けられる。転動体３は球体を呈する。
【００１７】
転動体３は、図５に開示するように、ベース部２に凹溝を形成して嵌着し、該凹溝内で自在に転動するように設ける。また、転動体３は磁石か、遠赤外線材質か、もしくはゲルマニウムを選択する。
【００１８】
さらに、図３、４に開示するように、腕輪部１にはアクセサリー４、もしくは時計５を設けてもよい。
【００１９】
この考案による手首保護装置は、次に掲げる長所を有する。
１、マウスを使用する場合にこの考案による手首保護装置を着けると、手首が手首保護装置の転動体３によって支持されるため、骨膜の損傷を防ぐことができる。
２、腕輪部１にアクセサリー１を設けることによって、好ましい美観が得られ、装飾の目的を達成することができる。
３、腕輪部１に時計５を設けることによって、好ましい美観が得られ、時間を見ることができるという目的を達成することができる。
４、転動体３を磁石で形成した場合、磁石から微量の電磁波が発生し、手首の付近の血液の分子を細分化して血行をよくすることができる。
５、転動体３を遠赤外線材質で形成した場合、体内の血液の循環を促進し、血管を拡張させ、血液の粘度を下げ、赤血球の変形能力を高めることができる。よって、毛細血管の血液の循環を改善することができる。
６、転動体３をゲルマニウムで形成した場合、ゲルマニウムは脱水素作用を有するため、強烈な酸素供給作用が得られ、人体の免疫力を高め、人体内部の遊離基の含有量を低下させ、誘導体内にホルモンを形成する作用を有する、このため身体の自己治癒力を増加させることができる。
【００２０】
以上はこの考案の好ましい実施例であって、この考案の実施の範囲を限定するものではない。よって、當業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２１】
【図１】従来の手首保護装置の外観を示した斜視図である。
【図２】この考案による手首保護装置の外観を示した斜視図である。
【図３】アクセサリーを設けた実施形態の手首保護装置の外観を示した斜視図である。
【図４】時計を設けた実施形態の手首保護装置の外観を示した斜視図である。
【図５】この考案における転動体をベース部に設けた部分の断面図である。
【符号の説明】
【００２２】
１          腕輪部
２          ベース部
３          転動体
４          クセサリー
５          時計
【図１】
0003145817.tif 000003
【図２】
0003145817.tif 000004
【図３】
0003145817.tif 000005
【図４】
0003145817.tif 000006
【図５】
0003145817.tif 000007